(57)【要約】      （修正有）【課題】スリムケースの様に所望のディスクを容易に出し入れできる一方で、コストを低減したディスク収納ケースを提供する。【解決手段】ディスク収納ケース１００が、基板１１と、該基板上に形成され、収納するディスクの中心孔を係止して保持する保持機構１２とを有する。該基板は、ディスク収納領域外の表裏の、相対する位置に、１対の凹部１４及び凸部１５を有する。該凹部及び該凸部は、該ディスク収納ケースを２つ以上積層する際、隣接する一方の該ディスク収納ケースの該凹部と、隣接する他方のディスク収納ケースの該凸部とが、嵌合可能で且つ相対回転可能な形状に形成される。【選択図】図１
2011121612.tif 000002
【特許請求の範囲】
【請求項１】
基板と、
該基板上に形成され、収納するディスクの中心孔を係止して保持する保持機構とを有するディスク収納ケースであって、
該基板は、ディスク収納領域外の表裏の、相対する位置に、１対の凹部及び凸部を有し、
該凹部及び該凸部は、該ディスク収納ケースを２つ以上積層する際、隣接する一方の該ディスク収納ケースの該凹部と、隣接する他方のディスク収納ケースの該凸部とが、嵌合可能で且つ相対回転可能な形状に形成される
ことを特徴とする、ディスク収納ケース。
【請求項２】
該基板の該保持機構が備わる面側に、凸状のガイド爪と、
該基板の該保持機構が備わる面とは反対の面側に、該ディスク収納ケースを２つ以上積層し、各該ディスク収納ケースが該嵌合部を軸として回動する際に、隣接する該ディスク収納ケースの該ガイド爪の軌跡上に、該ガイド爪と係合するガイド溝とを備える
ことを特徴とする、請求項１に記載のディスク収納ケース。
【請求項３】
ディスク収納領域外の表裏の、相対する位置に、該ディスク収納ケースを２つ以上積層する際、互いに規制して、該ディスク収納ケースが該嵌合部を軸として回動するのを係止するロック機構を備える
ことを特徴とする、請求項１に記載のディスク収納ケース。
【請求項４】
基板と、
該基板上に形成され、収納するディスクの中心孔を係止して保持する保持機構とを有するディスク収納ケースであって、
該基板は、ディスク収納領域外の表裏の、相対する２カ所以上の位置に、それぞれ対をなす凹部及び凸部を有し、
それぞれ対をなす該凹部及び該凸部は、該ディスク収納ケースを２つ以上積層する際、隣接する一方の該ディスク収納ケースの該凹部と、隣接する他方のディスク収納ケースの該凸部とが、嵌合可能な形状に形成される
ことを特徴とする、ディスク収納ケース。
【請求項５】
基板と、
該基板上に形成され、収納するディスクの中心孔を係止して保持する保持機構とを有するディスク収納ケースであって、
該基板は、一方の面のディスク収納領域外に溝部、他方の面の該溝部に相対する位置に凸部を有し、
該溝部及び該凸部は、該ディスク収納ケースを２つ以上積層する際、隣接する一方の該ディスク収納ケースの該溝部と、隣接する他方のディスク収納ケースの該凸部とが、係合可能であり、かつ各該ディスク収納ケースは積層面と平行方向にスライド可能な形状に形成される
ことを特徴とする、ディスク収納ケース。
【発明の詳細な説明】
【技術分野】
【０００１】
本発明は、ディスク、特にカートリッジケースに入っていない円盤状の光記録媒体の収納ケースに関する。
【背景技術】
【０００２】
近年、多くのディスクは、ＣＤ−ＲＯＭ／Ｒ／ＲＷ、ＤＶＤ−ＲＯＭ／Ｒ／ＲＷ、ブルーレイディスク等のカートリッジケースに入っていない光記録媒体が主流となっており、通常、記録面の保護のためにケースに収納してから流通させている。
【０００３】
ディスクの収納ケースは、ディスクを１枚ずつ収納できるスリーブケース、スリムケース、１枚もしくは２〜３枚程度のディスクを収納できるジュエルケース、数十枚単位の多くのディスクを収納できるスピンドルケース等が考案されている（特許文献１〜２参照）。
【先行技術文献】
【特許文献】
【０００４】
【特許文献１】国際公開第９９／４６１８５号パンフレット
【特許文献２】実用新案登録第３０５９６２４号
【発明の概要】
【発明が解決しようとする課題】
【０００５】
しかしながら、スリーブケースは紙や不織布などで形成されており、耐衝撃性がほとんどなく、またケースがディスクに直接接触するので、ディスクの保護に劣るという課題があった。
スリムケースやジュエルケースは、ディスクに比べて多くの量の原料が必要なため、コスト高になる傾向があった。
スピンドルケースは、スリムケース等に比べてコストは削減できるものの、所望のディスクを取り出すときに、該ディスクの上に積み重なるディスクをいったんケースから取り出さなければならず不便であった。
【０００６】
本発明は上記課題を解決するためになされたもので、その目的は、複数のディスクをまとめて収納可能でありながら、スリムケースの様に所望のディスクを容易に出し入れできる一方で、コストを低減したディスク収納ケースを提供することを目的とする。
【課題を解決するための手段】
【０００７】
本発明の要旨は、基板と、該基板上に形成され、収納するディスクの中心孔を係止して保持する保持機構とを有するディスク収納ケースであって、
該基板は、ディスク収納領域外の表裏の、相対する位置に、１対の凹部及び凸部を有し、該凹部及び該凸部は、該ディスク収納ケースを２つ以上積層する際、隣接する一方の該ディスク収納ケースの該凹部と、隣接する他方のディスク収納ケースの該凸部とが、嵌合可能で且つ相対回転可能な形状に形成されることを特徴とする、ディスク収納ケースに存する（請求項１）。
【０００８】
このとき、該基板の該保持機構が備わる面側に、凸状のガイド爪と、該基板の該保持機構が備わる面とは反対の面側に、該ディスク収納ケースを２つ以上積層し、各該ディスク収納ケースが該嵌合部を軸として回動する際に、隣接する該ディスク収納ケースの該ガイド爪の軌跡上に、該ガイド爪と係合するガイド溝とを備えることが好ましい（請求項２）。
【０００９】
また、ディスク収納領域外の表裏の、相対する位置に、該ディスク収納ケースを２つ以上積層する際、互いに規制して、該ディスク収納ケースが該嵌合部を軸として回動するのを係止するロック機構を備えることも好ましい（請求項３）。
【００１０】
本発明の別の要旨は、基板と、該基板上に形成され、収納するディスクの中心孔を係止して保持する保持機構とを有するディスク収納ケースであって、
該基板は、ディスク収納領域外の表裏の、相対する２カ所以上の位置に、それぞれ対をなす凹部及び凸部を有し、それぞれ対をなす該凹部及び該凸部は、該ディスク収納ケースを２つ以上積層する際、隣接する一方の該ディスク収納ケースの該凹部と、隣接する他方のディスク収納ケースの該凸部とが、嵌合可能な形状に形成されることを特徴とする、ディスク収納ケースに存する（請求項４）。
【００１１】
本発明の別の要旨は、基板と、該基板上に形成され、収納するディスクの中心孔を係止して保持する保持機構とを有するディスク収納ケースであって、
該基板は、一方の面のディスク収納領域外に溝部、他方の面の該溝部に相対する位置に凸部を有し、該溝部及び該凸部は、該ディスク収納ケースを２つ以上積層する際、隣接する一方の該ディスク収納ケースの該溝部と、隣接する他方のディスク収納ケースの該凸部とが、係合可能であり、かつ各該ディスク収納ケースは積層面と平行方向にスライド可能な形状に形成されることを特徴とする、ディスク収納ケースに存する（請求項５）。
【発明の効果】
【００１２】
本発明のディスク収納ケースによれば、隣接する一方のディスク収納ケースのディスクを係止している側に、隣接する他方のディスク収納ケースが、一方のディスク収納ケースのふたとして機能するので、コストを下げることができる。
【００１３】
また、本発明のディスク収納ケースによれば、スピンドルケースと異なり、所望のディスクを簡便に取り出すことができる。
【図面の簡単な説明】
【００１４】
【図１】本発明の第１の実施形態のディスク収納ケース１００を示した図である。（ａ）は本発明の第１の実施形態のディスク収納ケース１００を上方から見た概略図である。（ｂ）は本発明の第１の実施形態のディスク収納ケース１００を（ａ）のＰ１１−Ｑ１１断面で切断した断面概略図である。（ｃ）は本発明の第１の実施形態のディスク収納ケース１００を（ａ）のＰ１２−Ｑ１２断面で切断した断面概略図である。（ｄ）は本発明の第１の実施形態のディスク収納ケース１００にディスクＤを係止した上で２枚積層したときの（ａ）のＰ１１−Ｑ１１断面で切断した断面概略図である。
【図２】（ａ）〜（ｄ）は何れも、凸部１５を側面から見た投影図と、上面からみた投影図である。
【図３】本発明の第１の実施形態のディスク収納ケース１００の積層体を上方から見た概略図である。
【図４】本発明の第１の実施形態のディスク収納ケース１００に用いることができる１型ケース蓋１５０を示した図である。（ａ）は１型ケース蓋１５０を上方から見た概略図である。（ｂ）は１型ケース蓋１５０を（ａ）のＰ４１−Ｑ４１断面で切断した断面概略図である。
【図５】本発明の第１実施形態のディスク収納ケース１００の第１変形例のディスク収納ケース１００ａを示した図である。（ａ）は本発明の第１実施形態第１変形例のディスク収納ケース１００ａを上方から見た概略図である。（ｂ）は本発明の第１実施形態第１変形例のディスク収納ケース１００ａを（ａ）のＰ５１−Ｑ５１断面で切断した断面概略図である。（ｃ）は本発明の第１実施形態第１変形例のディスク収納ケース１００ａを（ａ）のＰ５２−Ｑ５２断面で切断した断面概略図である。（ｄ）は本発明の第１実施形態第１変形例のディスク収納ケース１００ａにディスクＤを係止した上で２枚積層したときの（ａ）のＰ５１−Ｑ５１断面で切断した断面概略図である。
【図６】本発明の第１実施形態第１変形例のディスク収納ケース１００ａに用いることができる１ａ型ケース蓋１５０ａを示した図である。（ａ）は１ａ型ケース蓋１５０ａを上方から見た概略図である。（ｂ）は１ａ型ケース蓋１５０ａを（ａ）のＰ６１−Ｑ６１断面で切断した断面概略図である。
【図７】本発明の第１の実施形態のディスク収納ケース１００の第２変形例のディスク収納ケース１００ｂを示した図である。（ａ）は本発明の第１実施形態第２変形例のディスク収納ケース１００ｂを上方から見た概略図である。（ｂ）は本発明の第１実施形態第２変形例のディスク収納ケース１００ｂを（ａ）のＰ７１−Ｑ７１断面で切断した断面概略図である。（ｃ）は本発明の第１実施形態第２変形例のディスク収納ケース１００ｂを（ａ）のＰ７２−Ｑ７２断面で切断した断面概略図である。（ｄ）は本発明の第１実施形態第２変形例のディスク収納ケース１００ｂにディスクＤを係止した上で２枚積層したときの（ａ）のＰ７３−Ｑ７３断面で切断した断面概略図である。（ｅ）はロック機構１８の斜視図である。
【図８】本発明の第１実施形態第２変形例のディスク収納ケース１００ｂに用いることができる１ｂ型ケース蓋１５０ｂを示した図である。（ａ）は１ｂ型ケース蓋１５０ｂを上方から見た概略図である。（ｂ）は１ｂ型ケース蓋１５０ｂを（ａ）のＰ８１−Ｑ８１断面で切断した断面概略図である。（ｃ）は１ｂ型ケース蓋１５０ｂを（ａ）のＰ８２−Ｑ８２断面で切断した断面概略図である。
【図９】本発明の第２の実施形態のディスク収納ケース２００を示した図である。（ａ）は本発明の第２の実施形態のディスク収納ケース２００を上方から見た概略図である。（ｂ）は本発明の第２の実施形態のディスク収納ケース２００を（ａ）のＰ９１−Ｑ９１断面で切断した断面概略図である。（ｃ）は本発明の第２の実施形態のディスク収納ケース２００を（ａ）のＰ９２−Ｑ９２断面で切断した断面概略図である。（ｄ）は本発明の第２の実施形態のディスク収納ケース２００にディスクＤを係止した上で２枚積層したときの（ａ）のＰ９１−Ｑ９１断面で切断した断面概略図である。
【図１０】（ａ）〜（ｄ）は何れも、凸部２５の、側面から見た投影図と、上面からみた投影図である。（ｅ）、（ｆ）は凹部２６の形状を説明するための模式図である。
【図１１】（ａ）〜（ｃ）は何れも、本発明の第２の実施形態のディスク収納ケース２００の積層体を側面から見た概略図である。
【図１２】本発明の第２の実施形態のディスク収納ケース２００に用いることができる２型ケース蓋２５０を示した図である。（ａ）は２型ケース蓋２５０を上方から見た概略図である。（ｂ）は２型ケース蓋２５０を（ａ）のＰ１２１−Ｑ１２１断面で切断した断面概略図である。
【図１３】本発明の第３の実施形態のディスク収納ケース３００を示した図である。（ａ）は本発明の第３の実施形態のディスク収納ケース３００を上方から見た概略図である。（ｂ）は本発明の第３の実施形態のディスク収納ケース３００を（ａ）のＰ１３１−Ｑ１３１断面で切断した断面概略図である。（ｃ）は本発明の第３の実施形態のディスク収納ケース３００にディスクＤを係止した上で２枚積層したときの（ａ）のＰ１３１−Ｑ１３１断面で切断した断面概略図である。
【図１４】（ａ）〜（ｄ）は何れも、凸部３５について、図１３（ａ）のＰ１３１−Ｑ１３１断面で切断したときの断面図である。
【図１５】（ａ）〜（ｃ）は何れも、本発明の第３の実施形態のディスク収納ケース３００の積層体を側面から見た概略図である。
【図１６】本発明の第３の実施形態のディスク収納ケース３００の積層体に用いることができる３型ケース蓋３５０を示した図である。（ａ）は３型ケース蓋３５０を上方から見た概略図である。（ｂ）は３型ケース蓋３５０を（ａ）のＰ１６１−Ｑ１６１断面で切断した断面概略図である。
【図１７】本発明の第３実施形態のディスク収納ケース３００の第１変形例のディスク収納ケース３００ａを示した図である。（ａ）は本発明の第３実施形態第１変形例のディスク収納ケース３００ａを上方から見た概略図である。（ｂ）は本発明の第３実施形態第１変形例のディスク収納ケース３００ａを（ａ）のＰ１７１−Ｑ１７１断面で切断した断面概略図である。（ｃ）は本発明の第３実施形態第１変形例のディスク収納ケース３００ａにディスクＤを係止した上で２枚積層したときの（ａ）のＰ１７１−Ｑ１７１断面で切断した断面概略図である。（ｄ）は本発明の第３実施形態第１変形例のディスク収納ケース３００ａを（ａ）のＰ１７２−Ｑ１７２断面で切断した断面概略図である。
【発明を実施するための形態】
【００１５】
以下、本発明の実施の形態につき詳細に説明するが、本発明は以下の実施の形態に制限されるものではなく、本発明の要旨を逸脱しない範囲において、任意に変形して実施することができる。
【００１６】
本発明のディスク収納ケースは、何れも、基板と、該基板上に形成され収納するディスクの中心孔を係止して保持する保持機構とを有するケースに関するものである。本発明の何れの実施形態においても、該ディスク収納ケースがさらに別の構成を備えることにより、機能するものである。
以下順に各実施形態について説明する。
【００１７】
［１．第１実施形態］
図１は、本発明の第１の実施形態のディスク収納ケース１００（以後、「１型ケース」という）を示した図である。図１（ａ）は１型ケース１００を上方から見た概略図、図１（ｂ）は１型ケース１００を図１（ａ）のＰ１１−Ｑ１１断面で切断した断面概略図、図１（ｃ）は１型ケース１００を図１（ａ）のＰ１２−Ｑ１２断面で切断した断面概略図、図１（ｄ）は１型ケース１００にディスクＤを係止した上で２枚積層したときの図１（ａ）のＰ１１−Ｑ１１断面で切断した断面概略図である。
【００１８】
１型ケース１００は、基板１１と、該基板１１上に形成され、収納するディスクＤの中心孔を係止して保持する保持機構１２とを有する。
基板１１は、ディスク収納領域外の表裏の相対する位置に１対の凹部１４及び凸部１５を有する。ここで、「ディスク収納領域」とは、本発明のディスク収納ケースにディスクＤを収納したときに、ディスクＤと対向する領域をいう。また、「ディスク収納領域外」とは、該ディスク収納領域の外の領域をいう。
凹部１４及び凸部１５は、１型ケース１００を２つ以上積層する際に隣接する一方の１型ケース１００の凹部１４と隣接する他方の１型ケース１００の凸部１５とが嵌合可能で且つ相対回転可能な形状に形成される。
【００１９】
（１−１．基板）
本発明に係る１型ケース１００の基板１１は、方形の板状の部品であり、後述する保持機構１２、凹部１４、及び凸部１５等の各構成部品を個別に成形後に接着してもよいが、基板１１と前記各構成部品は一体成形されることが好ましい。このように一体成形されることで、組み立てコストが低下し、生産コストを下げることができる。なお、一体成形の方法は公知の何れの方法を用いることもできるが、中でも複雑な形状を成形可能な射出成型法が好ましい。
【００２０】
基板１１は、軽量化や原料コストを下げるために、肉抜きした孔部１３を設けてもよい。孔部１３は、保持機構１２等の機能性を阻害したり、耐衝撃性が著しく下がったりしなければ、任意の箇所に任意の形状で設けることができる。図１（ａ）においては孔部の例として、ディスク収納領域外に設ける一例を示したものであり、これに限定されない。たとえば、孔部１３をディスク収納領域に設けてもよい。
【００２１】
基板１１の縁の部分や、ディスク収納領域の周縁部には、図１（ｂ）等に示されるように、ディスクＤの側面方向を保護する壁を設けることが好ましい。このようにすることで、２つ以上の１型ケース１００を積層したときに、密封性も高まる。
【００２２】
基板１１の材料は、一般にスリムケースの材料として用いられている材料を使用することができ、たとえば従来広く用いられているポリスチレン、ポリプロピレン、あるいは最近開発が進んでいる生分解性ポリマー等が挙げられる。中でもコスト、対衝撃性、一体成形のしやすさなどから耐衝撃性ポリスチレンが好ましい。
【００２３】
また、基板１１の材料は、透明な材料を用いてもよいし、遮光性のある材料を用いてもよい。さらに、材料の色をそのまま用いてもよいし、顔料などを混合して着色してもよい。また、表面にシボ加工を施してもよい。基板１１と同じ材料を用いてつくられる、後述する各種の構成部品も同様である。
【００２４】
（１−２．保持機構）
保持機構１２は、ディスクＤの中心孔を係止して保持する機構であり、基板１１と一体成形される。保持機構１２は一般にスリムケースやジュエルケースなどで用いられている形状と同様の形状を用いることができる。基板１１を形成する材料によって、撓みやすさ等の観点から、形状を選択すればよい。
【００２５】
保持機構１２の形成は、ディスク収納領域が基板外にならなければよいが、ディスクの保護の観点からは、ディスクの周囲の何れの方向にもディスク収納領域外が存在する位置に形成することが好ましい。
【００２６】
（１−３．凹部及び凸部）
凹部１４及び凸部１５は、２つ以上の１型ケース１００を積層したときに、互いに嵌合し、相互の１型ケース１００が相対回転するときの回転軸となる構成部品であり、基板１１と一体成形される。
【００２７】
このため１型ディスク１００の積層時にディスクＤと干渉しないように、凸部１５及び凹部１４は、基板１１のディスク収納領域外の表裏の相対する位置に１対形成される。ただし、２つ以上積層したときに最下層となる１型ケース１００における、ディスクＤを収納するのとは反対側の面は、保管時の安定性の観点から凸部１５が形成されない方が好ましい。そのため、図１においては、ディスクＤを収納する側の面に凸部１５が形成され、反対側の相対する位置に凹部１４が形成された例を示している。
【００２８】
凹部１４及び凸部１５の形状は、互いに嵌合し且つ相対回転可能となる。そのため、凸部１５は、円柱状の形状であり、かつ一度嵌合した後は容易に分離しないように先端部には抜け止めとなる膨らみがある形状が好ましい。このとき、凹部１４は凸部１５と嵌合する形状とする。
【００２９】
このような凸部１５の具体例としては、図２の（ａ）〜（ｄ）に示す様な形状とすることができる。図２は（ａ）〜（ｄ）のいずれも凸部１５を側面から見た投影図と、上面からみた投影図とを組み合わせた図である。これらの形状は基板１１の材料による特性（弾性変形のし易さ、撓み易さ、易損性等）、もしくは嵌合した後の分離しやすさ等の観点から選択すればよい。例えば、基板１１を形成する素材が弾性変形し易い場合、図２（ａ）のような形状であっても嵌合することが可能であるが、硬く弾性変形しにくい素材の場合には図２（ｂ）のように挿入方向に面取りをした形状の方が嵌合しやすい。また、一度積層させた１型ケース１００を分離しやすくするためには（ｃ）や（ｄ）の形状の方が好ましい。このように、嵌合と分離を自由にできるようにすれば、収納したいディスクＤの枚数に応じて、１型ケース１００を積層する枚数を調整することができる。
【００３０】
凸部１５と凹部１４との嵌合は、相対回転するときにある程度の力が必要な程度に調整することが好ましい。相対回転が容易におきると、積層した１型ケース１００が簡単に回転して収納したディスクＤが外部に露出してしまうためである。
【００３１】
（１−４．積層体）
１型ケース１００を２つ以上積層すると、隣接する一方の１型ケース１００の凹部１４と、隣接する他方の１型ケース１００の凸部１５とが、嵌合することで積層体を形成することができる。図１（ｄ）は、２つの１型ケース１００を用いて積層させたときの一例を示したものであり、ディスクＤを保持機構１２に係止した状態である。
【００３２】
１型ケース１００の積層体は、積層した１型ケース１００の枚数だけディスクＤを収納することができるので、スリムケースのように離散することなく多くのディスクＤを一体として管理することができる。さらには、スピンドルケースと異なり、収納するディスクＤの枚数に応じて積層する１型ケース１００の枚数を調整することができるので、省スペース化を図ることができる。
【００３３】
一方で、各ディスクＤが別の１型ケース１００に収納されるので、スピンドルケースのように各ディスクＤ同士がケース内で互いに接触して傷つくことを防ぐことができる。
【００３４】
図３は１型ケース１００の積層体を上方から見た概略図である。１型ケース１００の積層体は、図３に示すように、１型ケース１００の凸部１５及び凹部１４の嵌合部を回転軸として相対回転が可能である。そのため、スピンドルケースと異なり、必要なディスクＤを容易に取り出すことができる。
【００３５】
（１−５．ケース蓋）
１型ケース１００の積層体の最上層は、空の１型ケース１００を蓋の代わりに用いてもよいし、または蓋なしでディスク収納ケースとして用いてもよいし、別途蓋を形成してそれで蓋をしてもよい。
【００３６】
図４は、１型ケース１００の積層体の最上層で蓋として用いることができる１型ケース蓋１５０を示した図である。図４の１型ケース蓋１５０は、積層される１型ケース１００が、ディスクＤを収納する側の面に凸部１５が形成され、反対側の相対する位置に凹部１４が形成された場合に、用いることができるケース蓋の例を示している。
図４（ａ）は１型ケース蓋１５０を上方から見た概略図、図４（ｂ）は１型ケース蓋１５０を図４（ａ）のＰ４１−Ｑ４１断面で切断した断面概略図である。
【００３７】
１型ケース蓋１５０は、積層したときに最上層となる１型ケース１００の凸部１５と嵌合するために凹部１４が設けられている。凹部１４の形状は、１型ケース１００の凹部１４と同様である。
【００３８】
１型ケース蓋１５０の材料は、１型ケース１００と同様の材料を用いることができる。また、１型ケース１００と同様に一体形成されることが好ましい。
【００３９】
［２．第１実施形態第１変形例］
図５は、本発明の第１実施形態のディスク収納ケース１００の第１変形例のディスク収納ケース１００ａ（以後、「１ａ型ケース」という）を示した図である。図５（ａ）は１ａ型ケース１００ａを上方から見た概略図、図５（ｂ）は１ａ型ケース１００ａを図５（ａ）のＰ５１−Ｑ５１断面で切断した断面概略図、図５（ｃ）は１ａ型ケース１００ａを図５（ａ）のＰ５２−Ｑ５２断面で切断した断面概略図、図５（ｄ）は１ａ型ケース１００ａにディスクＤを係止した上で２枚積層したときの図５（ａ）のＰ５１−Ｑ５１断面で切断した断面概略図である。なお、図１と同じ構成部品については、同じ記号を付しており、説明を省略する。
【００４０】
１ａ型ケース１００ａは、１型ケース１００の構成に加えて、基板１１の保持機構１２が備わる面側に凸状のガイド爪１６と、基板１１の保持機構１２が備わる面とは反対の面側にガイド溝１７とが形成される。ガイド爪１６とガイド溝１７とが係合することにより、１ａ型ケースの回動のガイドをすることができる。また、ディスクＤを安定して収納することができる。以下、第１実施形態との違いを中心に説明する。
【００４１】
（２−１．ガイド爪）
ガイド爪１６は、後述するガイド溝１７と係合する構成をしており、基板１１と一体成形される。ガイド爪１６は上側に積層される１ａ型ケース１００ａのガイド溝１７と係合されるため、ディスク収納領域外に設けられる。
【００４２】
ガイド爪１６は、通常１つ設けられるが、１ａ型ケース１００ａの回動の妨げにならなければ複数設けてもよい。その場合、対応する複数のガイド溝１７が設けられることになる。
【００４３】
ガイド爪１６は、１ａ型収納ケース１００ａを回動するときに、ディスクＤと干渉しないように、十分な高さを有する。また、ガイド爪１６の形状は、ガイド溝１７と係合すれば制限はなく、例えば図２に示すように凸部１５と同様の形状とすることができる。ただし、凹部１４と凸部１５とが分離しない十分な結合強度で嵌合できる場合には、単に円柱のような分離を防止する機構がついていない形状であってもよい。なお、図５においては、図１に示す凸部１５と同様の形状とした例が示されている。
【００４４】
また、凹部１４と凸部１５とが嵌合した後も一定の力を加えることで分離可能な構造を有する場合、すなわち図２（ｃ）や図２（ｄ）の様な形状をしている場合には、ガイド爪１４も同様の形状か、若しくは円柱状等の分離可能な構造とすることが好ましい。
【００４５】
（２−２．ガイド溝）
ガイド溝１７は、保持機構１２を有する面とは反対側の面の基板１１上であって、隣接する１ａ型ケース１００ａが嵌合部を軸として回動するときのガイド爪１６の軌跡上に形成される。該ガイド溝１７内を該ガイド爪１６が摺動することで、１ａ型収納ケースの回動をガイドする。
【００４６】
ガイド溝１７は、一般にディスク収納領域を通過するので、ディスクＤに干渉しないように形成される。例えば、図５（ｃ）に示されるように基板１１に溝を掘削する形状ではなく、溝部１７を基板上に形成するようにする。このとき、あまり溝部１７が高く形成されると、１ａ型ケースを積層したときに、隣接する下層のケースに収納されたディスクＤと干渉する可能性がある。この干渉を防ぐために、ガイド爪１６を高く形成することも好ましい。
【００４７】
ガイド爪１６とガイド溝１７とをある程度の力をかけないように摺動しないように、きつく係合するようにしてもよい。この場合、凹部１４と凸部１５とが自由に相対回転するように形成することも可能である。
【００４８】
（２−３．凹部及び凸部）
１ａ型ケース１００ａの凹部１４と凸部１５とを嵌合したときの合計の高さは、積層された各々の１ａ型ケース１００ａの間隔となるため、ガイド爪１６とガイド溝１７とを係合したときの合計の高さと等しいことが好ましい。
上述のように、ガイド爪１６は、ディスクＤと干渉しないように高く設計されるため、１ａ型ケース１００ａは、１型ケース１００に比べて、凹部１４と凸部１５との合計の高さが高くなる傾向がある。
【００４９】
（２−４．ケース蓋）
１ａ型ケース１００ａを積層した積層体の最上層に蓋をつける場合、１型ケース蓋１５０の代わりに、１ａ型ケース蓋１５０ａを用いる。
【００５０】
図６は、１ａ型ケース蓋１５０ａを示した図であり、積層される１ａ型ケース１００ａが、ディスクＤを収納する側の面に凸部１５が形成され、反対側の相対する位置に凹部１４が形成された場合に、用いることができるケース蓋の例を示している。
図６（ａ）は１ａ型ケース蓋１５０ａを上方から見た概略図、図６（ｂ）は１ａ型ケース蓋１５０ａを図６（ａ）のＰ６１−Ｑ６１断面で切断した断面概略図である。
【００５１】
１ａ型ケース蓋１５０ａは、１型ケース蓋１５０の構成に加えて、ガイド溝１７が形成される。ガイド溝１７は、積層したときに最上層となる１ａ型ケース１００ａのガイド爪１６と係合する。１ａ型ケース蓋１５０ａのガイド溝１７の形状は、１ａ型ケース１００ａのガイド溝１７と同様である。
【００５２】
［３．第１実施形態第２変形例］
図７は、本発明の第１の実施形態のディスク収納ケース１００の第２変形例のディスク収納ケース１００ｂ（以後、「１ｂ型ケース」という）を示した図である。図７（ａ）は１ｂ型ケース１００ｂを上方から見た概略図、図７（ｂ）は１ｂ型ケース１００ｂを図７（ａ）のＰ７１−Ｑ７１断面で切断した断面概略図、図７（ｃ）は１ｂ型ケース１００ｂを図７（ａ）のＰ７２−Ｑ７２断面で切断した断面概略図、図７（ｄ）は１ｂ型ケース１００ｂにディスクＤを係止した上で２枚積層したときの図７（ａ）のＰ７３−Ｑ７３断面で切断した断面概略図、図７（ｅ）はロック機構１８の斜視図である。なお、図１と同じ構成部品については、同じ記号を付しており、説明を省略する。
【００５３】
１ｂ型ケース１００ｂは、１型ケース１００の構成に加えて、ディスク収納領域外の表裏の、相対する位置に、１ｂ型ケース１００ｂを２つ以上積層する際、互いに規制して、１ｂ型ケース１００ｂが嵌合部を軸として回動するのを係止するロック機構１８が形成される。ここで、嵌合部とは凹部１４と凸部１５とが嵌合した部分をいう。以下、第１実施形態との違いを中心に説明する。
【００５４】
（３−１．ロック機構）
ロック機構１８は、互いに規制することで１ｂ型ケースが相対回転するのを係止する機構であり、その形状に制限はない。例えば、基板１１の裏表面の相対する位置に突起状の形状を設けて互いに係合することができる形状としたり、図７に示されるように、基板１１の表面に突起状の形状を設け、一方対応する位置には基板１１に孔をあけて、それらが係合することができる形状としたりできる。
【００５５】
このようにロック機構１８を設けることで、相対回転するときにある程度の力が必要となり、１ｂ型ケースの相対回転を係止することができる。相対回転が容易におきることを抑制し、積層した１型ケース１００が簡単に回転して収納したディスクＤが外部に露出しないようにするためである。
【００５６】
図７（ｅ）は、ロック機構の一例を示す斜視図であり、ロック孔１８′と、ロック軸１８″とからなる。ロック孔１８′は、図７（ｄ）のように１ｂ型ケース１００ｂを積層したときに、ロック軸１８″が挿入される。
ロック孔１８′は図７（ａ）にも示されるとおり、台形と円形を組み合わせた鍵穴の様な形になっている。このため、１ｂ型ケース１００ｂを回動させる時に、ロック軸１８″が容易にロック孔１８′に挿入される。また、ロック軸１８″はロック孔１８′の台形と円形の接合部（くびれ部分）によって係止され、１ｂ型ケース１００ｂの回動を係止することができる。
【００５７】
また、ロック機構１８が備わることで、回動できる区間を規制することができる。例えば、図７（ａ）の１ｂ型ケース１００ｂを積層する場合に、ディスクＤを出し入れするために図３のように嵌合部を中心にして回動して開くときに、上に積層された１ｂ型ケース１００ｂを反時計回りにのみ開くことができるようにすることができる。
【００５８】
（３−２．ケース蓋）
１ｂ型ケース１００ｂを積層した積層体の最上層に蓋をつける場合、１型ケース蓋１５０の代わりに、１ｂ型ケース蓋１５０ｂを用いる。
【００５９】
図８は、１ｂ型ケース蓋１５０ｂを示した図であり、積層される１ｂ型ケース１００ｂが、ディスクＤを収納する側の面に凸部１５が形成され、反対側の相対する位置に凹部１４が形成された場合に、用いることができるケース蓋の例を示している。
図８（ａ）は１ｂ型ケース蓋１５０ｂを上方から見た概略図、図８（ｂ）は１ｂ型ケース蓋１５０ｂを図８（ａ）のＰ８１−Ｑ８１断面で切断した断面概略図、図８（ｃ）は１ｂ型ケース蓋１５０ｂを図８（ａ）のＰ８２−Ｑ８２断面で切断した断面概略図である。
【００６０】
１ｂ型ケース蓋１５０ｂは、１型ケース蓋１５０ｂの構成に加えて、ロック孔１８′が形成される。ロック孔１８′は、積層したときに最上層となる１ｂ型ケース１００ｂのロック軸１８″と係止する。１ｂ型ケース蓋１５０ｂのロック孔１８′の形状は、１ｂ型ケース１００ｂのロック孔１８′と同様である。
【００６１】
［４．第２実施形態］
図９は、本発明の第２の実施形態のディスク収納ケース２００（以後、「２型ケース」という）を示した図である。図９（ａ）は２型ケース２００を上方から見た概略図、図９（ｂ）は２型ケース２００を図９（ａ）のＰ９１−Ｑ９１断面で切断した断面概略図、図９（ｃ）は２型ケース２００を図９（ａ）のＰ９２−Ｑ９２断面で切断した断面概略図、図９（ｄ）は２型ケース２００にディスクＤを係止した上で２枚積層したときの図９（ａ）のＰ９１−Ｑ９１断面で切断した断面概略図である。
【００６２】
２型ケース２００は、基板２１と、該基板２１上に形成され、収納するディスクＤの中心孔を係止して保持する保持機構２２とを有する。
基板２１は、ディスク収納領域外の表裏の相対する２カ所以上の位置に、それぞれ対をなす凹部２４及び凸部２５を有する。
凹部２４及び凸部２５は、２型ケース２００を２つ以上積層する際に隣接する一方の２型ケース２００の凹部２４と隣接する他方の２型ケース２００の凸部２５とが嵌合可能な形状に形成される。
【００６３】
（４−１．基板・保持機構）
本発明に係る２型ケース２００の基板２１は、方形の板状の部品であり、上記の１型ケース１００の基板１１と同様の基板である。基板２１は、後述する各構成部品とともに一体成形される。このように一体成形されることで、組み立てコストが低下し、生産コストを下げることができる。なお、一体成形の方法は公知の何れの方法を用いることもできるが、中でも複雑な形状を成形可能な射出成型法が好ましい。
【００６４】
基板２１は、ディスクＤの中心孔で係止する保持機構２２を有している。保持機構２２の形状、設置位置、及び機能等は上記１型ケース１００の保持機構１２と同様である。
基板２１は基板１１と同様の材料で形成することができ、好ましい材料も同様である。
【００６５】
基板２１は、孔部２３を設けてもよい。孔部２３は、１型ケース１００の孔部１３と同様の箇所、形状で設けることができる。図９（ａ）は、孔部２３をディスク収納領域外に設けた例を示している。
また、基板２１の縁の部分や、ディスク収納領域の周縁部には、基板１１と同様に、図９（ｂ）等に示されるように、ディスクＤの側面方向を保護する壁を設けることが好ましい。
【００６６】
ただし、一体成形される各構成部品のうち、後述する凹部２４、及び凸部２５等は、第１実施形態と異なり、第２実施形態特有の形状、および配置となる。以下、これらの差異について説明する。
【００６７】
（４−２．凹部及び凸部）
凹部２４及び凸部２５は、２つ以上の２型ケース２００を積層したときに、互いに嵌合し、相互の２型ケース２００同士を係合する機構であり、基板２１と一体成形される。
【００６８】
このため２型ディスク２００の積層時にディスクＤと干渉しないように、凸部２５及び凹部２４は、基板２１のディスク収納領域外の表裏の相対する位置に形成される。ただし、２つ以上積層したときに最下層となる２型ケース２００における、ディスクＤを収納するのとは反対側の面は、保管時の安定性の観点から凸部２５が形成されない方が好ましい。そのため、図９においては、ディスクＤを収納する側の面に凸部２５が形成され、反対側の相対する位置に凹部２４が形成された例を示している。
【００６９】
また、図９では、基板２１の片面に凸部２５のみを形成し、逆面に凹部２４のみを形成する例を示しているが、片面に凸部２５と凹部２４とが混在するように形成していてもよい。
【００７０】
凹部２４及び凸部２５の形状は、互いに嵌合し且つ分離することが可能な形状である。そのため、凸部２５の形状は、凹部２４と嵌合できれば制限はなく、円柱状でも、四角柱状でも、多角柱状でもよい。このとき、抜け止めとして一部に膨らみがある形状が好ましい。このとき、凹部１４は凸部１５と嵌合する形状とする。
また、凸部２５は、円錐状でも、四角錐状でも、多角錐状でもよい。この場合、凹部２４は、凸部２５に比べてやや小さく形成されていれば嵌合したときに摩擦力によって抜け止めとなる。
【００７１】
このような凸部２５の具体例としては、図１０の（ａ）〜（ｄ）に示す様な形状とすることができる。図１０は（ａ）〜（ｄ）いずれも凸部２５を側面から見た投影図と、上面からみた投影図とを組み合わせた図である。これらの形状は基板２１の材料による特性（弾性変形のし易さ、撓み易さ、易損性等）等の観点から選択すればよい。例えば、基板２１を形成する素材が弾性変形し易い場合、図１０（ａ）のような形状を選択し、凹部２４の内径を凸部２５の外径とほぼ等しくすれば、強く係止させることができる。弾性変形を比較的しにくい素材の場合には図１０（ｂ）のように一部がふくらんだ形状を選択し、凹部２４の内径を凸部２５の外径の最大値よりもやや小さめにすれば、嵌合時、及び分離時の何れにおいても、一定の力で係止させることができる。また、基板２１の材料の弾性変形のし易さによっては、図１０（ｃ）や図１０（ｄ）の様な形状を選択することができる。
【００７２】
一方で凸部２５を図１０（ａ）の形状を選択した場合に、凹部２４を図１０（ｅ）の形状とすることで、嵌合や分離を容易にすることもできる。図１０（ｅ）に示される凹部２４に、図１０（ａ）に示される凸部２５を嵌合することで、図１０（ｆ）に示されるように凹部２５の凸部２４と接触する部分が弾性体として作用して、嵌合時、及び分離時の何れにおいても、一定の力で係止させることができる。
【００７３】
凹部２４及び凸部２５の対は、ディスク収納領域外の表裏の相対する２カ所以上の位置に設けられる。２カ所に設置する場合には、基板２１の対角線上に位置するように両角に設置すること、すなわち図９（ａ）では右上と左下の組み合わせ、若しくは左上と右下の組み合わせが好ましい。２型ケース２００同士を安定して係合することができるためである。
【００７４】
凹部２４及び凸部２５の対の設置箇所は、通常２カ所以上、好ましくは３カ所以上、さらに好ましくは４カ所以上である。２型ケース２００同士を安定して係合することができるためである。また、５カ所以上設置しても、嵌合及び分離の手間がかかるため、４カ所が特に好ましい。
【００７５】
なお、３箇所以上に凹部２４及び凸部２５の対を設置する場合は、２型ケース２００の向きを揃えて積層したときのみ、凹部２４と凸部２５とが嵌合する位置に凹部２４及び凸部２５の対を形成することも好ましい。また、基板２１の片面に形成される凹部２４と凸部２５との組み合わせを、２型ケース２００の向きを揃えて積層したときのみ嵌合する組み合わせとすることも好ましい。２型ケース２００の積層時の外観の美観も高く、また積層された２型ケース２００同士に隙間ができないため、ディスクＤの保護性能も高くなる傾向があるためである。さらに、２型ケース２００の積層時に、ディスク収納面同士を向き合わせて積層することを避けることができるので、ディスクＤの収納される向きが揃えることができ、また、外力によって２型ケース２００の積層体が撓んだとしても、ディスクＤ同士が接触することを避けることができる。
【００７６】
また、設置された凹部２４及び凸部２５の対は、設置場所ごとに異なる形状であってもよい。例えば、図９（ａ）の右上の凹部２４及び凸部２５の対を図１０（ａ）の形状を選択し、他の凹部２４及び凸部２５の対については図１０（ｂ）の形状を選択してもよい。
【００７７】
（４−３．積層体）
２型ケース２００を２つ以上積層すると、隣接する一方の２型ケース２００の凹部２４と、隣接する他方の２型ケース２００の凸部２５とが、嵌合することで積層体を形成することができる。図９（ｄ）は、２つのケースを用いて積層させたときの一例を示したものであり、ディスクＤを保持機構２２に係止した状態である。
【００７８】
２型ケース２００の積層体は、積層した２型ケース２００の枚数だけディスクＤを収納することができるので、スリムケースのように離散することなく多くのディスクＤを一体として管理することができる。さらには、スピンドルケースと異なり、収納するディスクＤの枚数に応じて積層する２型ケース２００の枚数を調整することができるので、省スペース化を図ることができる。
【００７９】
一方で、各ディスクＤが別の２型ケース２００に収納されるので、スピンドルケースのように各ディスクＤ同士がケース内で互いに接触して傷つくことを防ぐことができる。
【００８０】
図１１は２型ケース２００の積層体を側面から見た概略図である。２型ケース２００の積層体は、図１１（ａ）に示すように２型ケース２００の凸部２５と凹部２４とが嵌合して、図１１（ｂ）に示すように積層体として取り扱うことができる。
【００８１】
各２型ケース２００に収納した任意のディスクＤを取り出すときは、図１１（ｃ）に示すように、当該ディスクが収納された２型ケース２００を分離することで取り出すことができる。
そのため、スピンドルケースと異なり、必要なディスクＤを容易に取り出すことができる。
【００８２】
（４−４．ケース蓋）
積層体の最上層は、空の２型ケース２００を蓋の代わりに用いてもよいし、または蓋なしでディスク収納ケースとして用いてもよいし、別途蓋を形成してそれで蓋をしてもよい。
【００８３】
図１２は、２型ケース２００の積層体の最上層で蓋として用いることができる２型ケース蓋２５０を示した図である。図１２の２型ケース蓋２５０は、積層される２型ケース２００が、ディスクＤを収納する側の面に凸部２５が形成され、反対側の相対する位置に凹部２４が形成された場合に、用いることができるケース蓋の例を示している。
図１２（ａ）は２型ケース蓋２５０を上方から見た概略図、図１２（ｂ）は２型ケース蓋２５０を図１２（ａ）のＰ１２１−Ｑ１２１断面で切断した断面概略図である。
【００８４】
２型ケース蓋２５０は、積層したときに最上層となる２型ケース２００の凸部２５と嵌合するために凹部２４が設けられている。凹部２４の形状は、２型ケース２００の凹部２４と同様である。
【００８５】
２型ケース蓋２５０の材料は、２型ケース２００と同様の材料を用いることができる。また、２型ケース２００と同様に一体形成されることが好ましい。
【００８６】
［５．第３実施形態］
図１３は、本発明の第３の実施形態のディスク収納ケース３００（以後、「３型ケース」という）を示した図である。図１３（ａ）は３型ケース３００を上方から見た概略図、図１３（ｂ）は３型ケース３００を図１３（ａ）のＰ１３１−Ｑ１３１断面で切断した断面概略図、図１３（ｃ）は３型ケース３００にディスクＤを係止した上で２枚積層したときの図１３（ａ）のＰ１３１−Ｑ１３１断面で切断した断面概略図である。
【００８７】
３型ケース３００は、基板３１と、該基板３１上に形成され、収納するディスクＤの中心孔を係止して保持する保持機構３２とを有する。
基板３１は、一方の面のディスク収納領域外に溝部３４、他方の面の該溝部に相対する位置に凸部３５を有している。
溝部３４及び凸部３５は、３型ケース３００を２つ以上積層する際、隣接する一方の３型ケース３００の溝部３４と、隣接する他方の３型ケース３００の凸部３５とが、係合可能であり、かつ各３型ケース３００は積層面と平行方向にスライド可能な形状に形成される。ここで、積層面とは、積層したときに隣接する各々３型ケース３００の対向する面をいう。
【００８８】
（５−１．基板・保持機構）
本発明に係る３型ケース３００の基板３１は、方形の板状の部品であり、上記の１型ケース１００の基板１１と同様の基板である。基板３１は、後述する各構成部品とともに一体成形される。このように一体成形されることで、組み立てコストが低下し、生産コストを下げることができる。なお、一体成形の方法は公知の何れの方法を用いることもできるが、中でも複雑な形状を成形可能な射出成型法が好ましい。
【００８９】
基板３１は、ディスクＤの中心孔で係止する保持機構３２を有している。保持機構３２の形状、設置位置、及び機能等は１型ケース１００の保持機構１２と同様である。
基板３１は基板１１と同様の材料で形成することができ、好ましい材料も同様である。
【００９０】
基板３１は、孔部３３を設けてもよい。孔部３３は、１型ケース１００の孔部１３と同様の箇所、形状で設けることができる。図１３（ａ）は、孔部３３をディスク収納領域外に設けた例を示している。
また、基板３１の縁の部分や、ディスク収納領域の周縁部には、基板１１と同様に、図１３（ｂ）等に示されるように、ディスクＤの側面方向を保護する壁を設けることが好ましい。
【００９１】
ただし、一体成形される各構成部品のうち、後述する溝部３４、及び凸部３５等は、第１実施形態と異なり、第３実施形態特有の形状、および配置となる。以下、これらの差異について説明する。
【００９２】
（５−３．溝部及び凸部）
溝部３４及び凸部３５は、２つ以上の３型ケース３００を積層したときに、互いに係合可能な機構であり、基板３１と一体成形される。
【００９３】
このため３型ディスク３００の積層時にディスクＤと干渉しないように、凸部３５及び溝部部３４は、基板３１のディスク収納領域外の表裏の相対する位置に形成される。ただし、２つ以上積層したときに最下層となる３型ケース３００における、ディスクＤを収納するのとは反対側の面は、保管時の安定性の観点から凸部３５が形成されない方が好ましい。そのため、図１３においては、ディスクＤを収納する側の面に凸部３５が形成され、反対側の相対する位置に溝部３４が形成された例を示している。
【００９４】
溝部３４及び凸部３５の形状は、互いに係合可能であり、かつ積層した各３型ケース３００が積層面と平行方向にスライド可能な形状である。
そのため、溝部３４は、係合した凸部３５を摺動させることで、３型ケース３００のスライドをガイドする構造をしている。このとき、３型ケース３００のスライドの変位量に従って、凸部３５を摺動させる方向に必要な長さだけの溝を形成すればよい。
【００９５】
例えば、３型ケース３００の積層体から、任意の３型ケース３００だけをスライドして分離させることができる溝部３４の具体例としては、図１３（ａ）に示すように、３型ケース３００の２カ所の縁を結ぶ線分上に形成する例が挙げられる。
【００９６】
このとき、２以上の溝部３４を形成する場合は、各々の溝部３４が互いに平行になるように形成される。平行でないと、３型ケース３００をスライドすることが困難になる。溝部３４は１つ設置してもよいが、２以上設置することで３型ケース３００同士を安定して係合することができるために好ましい。
【００９７】
なお、３型ケース３００の変形例（以下、「３ａ型ケース３００ａ」という）として、一方向にのみ３ａ型ケース３００ａをスライドすることが可能な構成としてもよい。３ａ型ケース３００ａについては、後述する。
【００９８】
溝部３４の断面形状としては、図１３（ｂ）に示すように、挿入された凸部３５と係合する形状であればよい。係合は、図１５（ａ）に示されるように、溝部３４に凸部３５を押し込むことで行うことができる。
【００９９】
３型ケース３００の凸部３５の形状は、溝部３４と係合できれば制限はなく、図１３（ａ）で示す凸部３５のように棒状であってもよいし、複数個の突起状の凸部３５を直線上に配設したものであってもよい。
【０１００】
凸部３５の断面形状は、凹部３５と係合するように、先端部に膨らみがある形状が好ましく、具体例としては図１４（ａ）〜図１４（ｄ）に示されるような形状にすることができる。図１４（ａ）〜図１４（ｄ）は、凸部３５について、図１３（ａ）のＰ１３１−Ｑ１３１断面で切断したときの断面図である。
【０１０１】
これらの凸部３５の形状は、基板３１の材料による特性（弾性変形のし易さ、撓み易さ、易損性等）、もしくは嵌合した後の分離しやすさ等の観点から選択すればよい。例えば、基板３１を形成する素材が弾性変形し易い場合、図１４（ａ）のような形状であっても挿入して係合することが可能であるが、硬く弾性変形しにくい素材の場合には図１４（ｂ）のように挿入方向に面取りをした形状の方が挿入しやすい。これらの形状は、一度溝部３４と凸部３５とを係合させたらスライド以外の方法で３型ケース３００を分離させたくないときに用いるとよい。
【０１０２】
一方で、後述の３ａ型ケース３００ａのように、スライドによっては分離しない場合であって、一度挿入して係合させた溝部３４と凸部３５とをスライドによらず再度分離することも可能とする場合には、図１４（ｃ）若しくは図１４（ｄ）のような形状を用いるとよい。
【０１０３】
設置される溝部３４及び凸部３５は、設置場所ごとに異なる形状であってもよい。例えば、図１３（ａ）の片方の凸部３５を図１４（ａ）の形状を選択し、もう片方の凸部３５については図１３（ｂ）の形状を選択して、それぞれ対応する形状の溝部３４を形成してもよい。
【０１０４】
なお、溝部３４と凸部３５との形状は、凸部３５が溝部３４内を摺動するときにある程度の静止摩擦力及び動摩擦力を有するような形状とすることが好ましい。３ａ型ケース３００同士がゆるく係合している場合、簡単にスライドしてしまい、係合が解除してしまうからである。
【０１０５】
（５−５．積層体）
３型ケース３００を２つ以上積層すると、隣接する一方の３型ケース３００の溝部３４と、隣接する他方の３型ケース３００の凸部３５とが、係合することで積層体を形成することができる。図１３（ｃ）は、２つの３型ケース３００を用いて積層させたときの一例を示したものであり、ディスクＤを保持機構３２に係止した状態である。
【０１０６】
３型ケース３００の積層体は、積層した３型ケース３００の枚数だけディスクＤを収納することができるので、スリムケースのように離散することなく多くのディスクＤを一体として管理することができる。さらには、スピンドルケースと異なり、収納するディスクＤの枚数に応じて積層する３型ケース３００の枚数を調整することができるので、省スペース化を図ることができる。
【０１０７】
一方で、各ディスクＤが別の３型ケース３００に収納されるので、スピンドルケースのように各ディスクＤ同士がケースないで互いに接触して傷つくことを防ぐことができる。
【０１０８】
図１５は３型ケース３００の積層体を側面から見た概略図である。３型ケース３００の積層体は、図１５（ａ）に示すように３型ケース３００の凸部３５と溝部３４とが係合して、図１５（ｂ）に示すように積層体として取り扱うことができる。
【０１０９】
各３型ケース３００に収納した任意のディスクＤを取り出すときは、図１５（ｃ）に示すように、当該ディスクが収納された３型ケース３００をスライドさせることで取り出すことができる。
そのため、スピンドルケースと異なり、必要なディスクＤを容易に取り出すことができる。
【０１１０】
（５−６．ケース蓋）
積層体の最上層は、空の３型ケース３００を蓋の代わりに用いてもよいし、または蓋なしでディスク収納ケースとして用いてもよいし、別途蓋を形成してそれで蓋をしてもよい。
【０１１１】
図１６は、３型ケース３００の積層体の最上層で蓋として用いることができる３型ケース蓋３５０を示した図である。図１６の３型ケース蓋３５０は、積層される３型ケース３００が、ディスクＤを収納する側の面に凸部３５が形成され、反対側の相対する位置に溝部３４が形成された場合に、用いることができるケース蓋の例を示している。
図１６（ａ）は３型ケース蓋３５０を上方から見た概略図、図１６（ｂ）は３型ケース蓋３５０を図１６（ａ）のＰ１６１−Ｑ１６１断面で切断した断面概略図である。
【０１１２】
３型ケース蓋３５０は、積層したときに最上層となる３型ケース３００の凸部３５と係合するために溝部３４が設けられている。３型ケース蓋３５０の溝部３４の形状は、３型ケース３００の溝部３４と同様である。
【０１１３】
３型ケース蓋３５０の材料は、３型ケース３００と同様の材料を用いることができる。また、３型ケース３００と同様に一体形成されることが好ましい。
【０１１４】
［６．第３実施形態第１変形例］
図１７は、本発明の第３実施形態のディスク収納ケース３００の第１変形例のディスク収納ケース３００ａ（以後、「３ａ型ケース」という）を示した図である。図１７（ａ）は３ａ型ケース３００ａを上方から見た概略図、図１７（ｂ）は３ａ型ケース３００ａを図１７（ａ）のＰ１７１−Ｑ１７１断面で切断した断面概略図、図１７（ｃ）は３ａ型ケース３００ａにディスクＤを係止した上で２枚積層したときの図１７（ａ）のＰ１７１−Ｑ１７１断面で切断した断面概略図である。（ｄ）は本発明の第３実施形態第１変形例のディスク収納ケース３００ａを（ａ）のＰ１７２−Ｑ１７２断面で切断した断面概略図である。なお、図１３と同じ構成部品については、同じ記号を付しており、説明を省略する。
【０１１５】
３ａ型ケース３００ａは、３ａ型ケース３００ａのスライドする方向を一方向に限定した構造を有している。そのため、３型ケース３００の構成に比べて、溝部３４ａと凸部３５ａの構造が異なる。以下、この点につき説明する。
【０１１６】
（６−１．溝部及び凸部）
３ａ型ケース３００ａの溝部３４ａ及び凸部３５ａは、例えば図１７（ｄ）に示されるように一方の端部には溝部３４ａ及び凸部３５ａを形成しない構造としている。これにより、３ａ型ケース３００ａがスライドする方向を制限することで、３ａ型ケース３００ａ同士の係合が解除され、分離することを１方向のみに限定することができる。
【０１１７】
なお、複数の溝部３４ａを形成するときは、各々の溝部３４ａが互いに平行になるように形成される。
【０１１８】
凸部３５ａの形状は、図１７（ｄ）に示すような溝部３４ａの長さよりも、短い棒状のであってもよく、また複数の突起状の凸部３５ａが直線上に配設されたものであってもよい。凸部３５ａの断面形状は、３型ケース３００の凸部３５と同様とすることができる。ただし、一度嵌合した凹部３４ａと凸部３５ａとスライドによらず再度分離してもよい場合には、上述した図１４（ｃ）や図１４（ｄ）の様に、一度挿入して係合させた溝部３４と凸部３５とを再度分離させることができる形状とする。
【０１１９】
なお、３ａ型ケース３００ａの積層体から任意のディスクＤを出し入れするときは、該ディスクＤが収納された３ａ型ケース３００ａと、該収納された３ａ型ケース３００ａの１段上の３ａ型ケース３００ａとをスライドさせることになるが、この際、該収納された３ａ型ケース３００ａより下層の３ａ型ケース３００ａは、すべて該収納された３ａケース３００ａと一体となってスライドすることになる。このため、任意のディスクＤを出し入れするときに、該収納された３ａ型ケース３００ａを１枚だけ摘むのでは無く、掴みやすいため操作性もよい。
【産業上の利用可能性】
【０１２０】
本発明の用途に制限はないが、特に、ディスクを収納するディスク収納ケースに好適に用いることができる。
【符号の説明】
【０１２１】
１１  基板
１２  保持機構
１３  孔部
１４  凹部
１５  凸部
１６  ガイド爪
１７  ガイド溝
１８  ロック機構
１８′  ロック孔
１８″  ロック軸
２１  基板
２２  保持機構
２３  孔部
２４  凹部
２５  凸部
３１  基板
３２  保持機構
３３  孔部
３４  溝部
３４ａ  溝部
３５  凸部
３５ａ  凸部
１００  ディスク収納ケース（１型ケース）
１００ａ  ディスク収納ケース（１ａ型ケース）
１００ｂ  ディスク収納ケース（１ｂ型ケース）
１５０  １型ケース蓋
１５０ａ  １ａ型ケース蓋
１５０ｂ  １ｂ型ケース蓋
２００  ディスク収納ケース（２型ケース）
２５０  ２型ケース蓋
３００  ディスク収納ケース（３型ケース）
３００ａ  ディスク収納ケース（３ａ型ケース）
３５０  ３型ケース蓋
Ｄ  ディスク
【図１】
2011121612.tif 000003
【図２】
2011121612.tif 000004
【図３】
2011121612.tif 000005
【図４】
2011121612.tif 000006
【図５】
2011121612.tif 000007
【図６】
2011121612.tif 000008
【図７】
2011121612.tif 000009
【図８】
2011121612.tif 000010
【図９】
2011121612.tif 000011
【図１０】
2011121612.tif 000012
【図１１】
2011121612.tif 000013
【図１２】
2011121612.tif 000014
【図１３】
2011121612.tif 000015
【図１４】
2011121612.tif 000016
【図１５】
2011121612.tif 000017
【図１６】
2011121612.tif 000018
【図１７】
2011121612.tif 000019